(57)【要約】【課題】皮膚パラメータの変化を測定するためのシステムを提供すること。【解決手段】生物の検査されるべき皮膚表面上の皮膚パラメータの変化を物質の滞留時間の関数として測定するためのシステムにおいて、該システムは、皮膚パラメータを測定するための少なくとも１つの測定機器を備え、測定機器は少なくとも１つの供給手段と結合され、該供給手段は、動作時に、この供給手段と関連付けられ、および検査されるべき皮膚表面上に塗布可能な物質を供給し、測定機器は、物質の滞留時間の検出のために供給手段の作動時間と皮膚パラメータの少なくとも１つの測定時間とをメモリに記録するとともに、測定時間と関連付けられる測定された皮膚パラメータをメモリに記録する。【選択図】図１
2010201165.tif 000002
【特許請求の範囲】
【請求項１】
生物の検査されるべき皮膚表面上の皮膚パラメータの変化を物質（１０）の滞留時間の関数として測定するためのシステムであって、
当該システムは、皮膚パラメータを測定するための少なくとも１つの測定機器（１８）を備え、
前記測定機器（１８）が少なくとも１つの供給手段（２）と結合され、
前記供給手段が、動作時に、この供給手段（２）と関連付けられた物質（１）であり、検査されるべき皮膚表面上に塗布可能な物質（１０）を供給し、
前記測定機器（１８）が、物質（１０）の滞留時間の検出のために前記供給手段（２）の作動時間と皮膚パラメータの少なくとも１つの測定時間とをメモリ（６）に記録し、測定時間と関連付けられる測定された皮膚パラメータをメモリ（６）に記録する、システム。
【請求項２】
前記供給手段（２）が物質を所定の量で供給する、請求項１に記載のシステム。
【請求項３】
前記物質が調合薬または化粧品である、請求項１または２に記載のシステム。
【請求項４】
前記測定機器（１８）が、設定可能な時間間隔または複数の設定可能な時間間隔後に注意喚起信号を発する、請求項１〜３のいずれか一項に記載のシステム。
【請求項５】
前記測定機器（１８）が、物質に関連付けられる識別コードによって前記供給手段（２）内の前記物質（１０）を識別し、前記測定機器が、測定値および測定時間並びに前記供給手段（２）の作動時間を物質（１０）と関連付ける、請求項１〜４のいずれか一項に記載のシステム。
【請求項６】
前記測定機器が、特定の物質（１０）と関連付けられる測定値および測定時間並びに前記供給手段の作動時間を少なくとも１つの外部データ受信器へ送信する、請求項５に記載のシステム。
【請求項７】
前記測定機器（１８）が室内気候センサ手段を備える、請求項１〜６のいずれか一項に記載のシステム。
【請求項８】
前記測定機器（１８）が、皮膚の弾力性および／または皮膚の色および／または皮膚の脂肪レベルおよび／または皮膚の皮脂レベルおよび／または皮膚の湿度および／または皮膚のｐＨ値を検出する、請求項１〜７のいずれか一項に記載のシステム。
【請求項９】
前記測定機器（１８）が少なくとも１つのセンサ手段を備え、前記センサ手段を用いて測定技術により皮膚表面上に塗布されるべき前記物質（１０）の存在をチェックすることができ、前記センサ手段が、前記マーカでマークされた物質（１０）が前記検査されるべき皮膚表面上に存在するかどうかを決定するために物質中のマーカを検出する、請求項１〜８のいずれか一項に記載のシステム。
【請求項１０】
前記マーカが、前記物質（１０）の化学成分と相互作用せず、任意の効果と関連付けることができない、請求項９に記載のシステム。
【請求項１１】
前記マーカが前記皮膚によって再吸収可能でない、請求項９または１０のいずれか一項に記載のシステム。
【請求項１２】
前記マーカが粒子から成り、前記粒子が、前記皮膚に浸透できないようなサイズである、請求項９〜１１のいずれか一項に記載のシステム。
【請求項１３】
前記マーカが蛍光物質であり、前記センサ手段が蛍光測定によって前記マーカを検出できる、請求項９〜１２のいずれか一項に記載のシステム。
【請求項１４】
生物の検査されるべき皮膚表面上の皮膚パラメータの変化を物質の滞留時間の関数として測定するための方法であって、
検査されるべき未処理の皮膚表面に関して前記皮膚パラメータを測定して、前記測定された皮膚パラメータを記憶するステップと、
前記検査されるべき皮膚表面上に塗布される物質を供給して、前記検査されるべき皮膚表面上に前記物質（１０）を塗布するステップと、
前記供給された前記物質（１０）を識別するステップと、
前記物質が供給された時間を記憶するステップと、
所定の滞留時間の１回分または複数回分の後に再び皮膚パラメータを測定するステップと、
前記物質の滞留時間の検出のために前記皮膚パラメータの少なくとも１つの新たな測定時間を記憶するステップと、
を備える方法。
【請求項１５】
供給される前記物質（１０）の量が測定されて記憶される、請求項１４に記載の方法。
【請求項１６】
皮膚表面上に塗布されるべき物質（１０）の存在を測定技術によってチェックするために、物質（１０）中のマーカが検出されて、前記マーカでマークされた前記物質（１０）が前記検査されるべき皮膚表面上に存在するかどうかが決定される、請求項１４または１５に記載の方法。
【請求項１７】
前記マーカが、物質（１０）の化学成分と相互作用せず、いかなる効果とも関連付けることができない、請求項１４〜１６のいずれか一項に記載の方法。
【請求項１８】
前記マーカが前記皮膚によって再吸収可能でない、請求項１４〜１７のいずれか一項に記載の方法。
【発明の詳細な説明】
【技術分野】
【０００１】
本発明は、請求項１および請求項１４のそれぞれのプリアンブル部分に記載される、物質の効果に基づいて、生物の検査されるべき皮膚表面上の皮膚パラメータの変化を測定するためのシステムおよび方法に関する。
【背景技術】
【０００２】
欧州公開公報ＥＰ−Ａ−１１６６７１７号から、生物の検査されるべき皮膚表面上の皮膚パラメータを測定する際に使用される装置であって、ハウジング内に配置されるプローブ、送信器、および少なくとも１つの受信器を用いて表面構造の弾性特性が測定される装置が知られている。
【０００３】
生物の検査されるべき皮膚表面上の皮膚パラメータを測定するための現在知られているシステムは、しばしば、調合薬または化粧品、特にスキンクリームの有効性を分析する科学研究で使用される。そのような研究は、皮膚の変化を物質の滞留時間の関数として文書化する。この目的のため、スキンクリームの所定の滞留時間後にプロバンド（proband）の皮膚パラメータが検出される。現在の研究では、プロバンドは、皮膚測定のための所謂「プロバンドセンター」を訪れなければならない。
【０００４】
しかしながら、これは、「プロバンドセンター」の近所に住むプロバンドだけしか検査できないという欠点を伴う。また、検査は、プロバンドにとってかなり時間がかかり、そのため、例えば、働いている人をプロバンドとして利用できない。
【発明の概要】
【発明が解決しようとする課題】
【０００５】
したがって、本発明の目的は、前述したタイプのシステムおよび方法であって、検査されるべき皮膚表面上に塗布できる物質の滞留時間の関数として生物の皮膚パラメータの変化を簡単な方法で決定できるシステムおよび方法を提供することである。
【課題を解決するための手段】
【０００６】
この目的は、請求項１および請求項１４の特徴を有する本発明にしたがって達成される。
【０００７】
本発明は、生物の検査されるべき皮膚表面上の皮膚パラメータの変化を物質の滞留時間の関数として測定するためのシステムにおいて、測定機器が供給手段と結合され、該供給手段が、動作時に、供給手段と関連付けられ、および検査されるべき皮膚表面上に塗布可能な物質を供給し、測定機器が、物質の滞留時間の決定のために供給手段の作動時間と皮膚パラメータの少なくとも１つの測定時間とをメモリに記録するとともに、測定時間と関連付けられる測定された皮膚パラメータをメモリに記録する、ということを有利に提供する。
【０００８】
これは、測定値が滞留時間の関数として記憶されるという利点を有する。したがって、皮膚の変化を簡単な方法で文書化することができる。プロバンドはそのような装置を家に持ち帰ることができる。このようにすれば、「プロバンドセンター」の近所に住んでいない、あるいは働いているプロバンドも研究に参加できる。
【０００９】
他の利点は、皮膚検査をより短い時間間隔で行なうことができるという点である。
【００１０】
物質は、調合薬または化粧品、特にスキンクリームであってもよい。
【００１１】
設定可能な時間間隔または複数の設定可能な時間間隔後に、測定機器は、注意喚起信号をそれぞれ発する。したがって、プロバンドに特定のスケジュールを知らせることができる。
【００１２】
測定機器は、物質に関連付けられる識別コードによって供給手段内に収容される物質を識別するようになっているとともに、測定値および測定時間並びに供給手段の作動時間を物質と関連付けるようになっている。
【００１３】
測定機器は、特定の物質と関連付けられた測定結果および測定時間並びに供給手段の作動時間を、少なくとも１つの外部データ受信器へ送信し、あるいはそれらを交換可能な記憶媒体へ移すようになっている。したがって、「プロバンドセンター」の近所に住んでいないプロバンドの測定結果を「プロバンドセンター」へ簡単な方法で送信することができる。
【００１４】
測定機器には室内気候センサ手段が設けられてもよい。
【００１５】
測定機器は、皮膚の弾力性および／または皮膚の色（皮膚の色素沈着）および／または皮膚の脂肪レベルおよび／または皮膚の皮脂レベルおよび／または皮膚のｐＨ値を検出するように構成される。
【００１６】
測定機器は少なくとも１つのセンサ手段を備えることができ、該センサ手段を用いて測定技術により皮膚表面上に塗布されるべき物質の存在をチェックすることができ、センサ手段は、マーカでマークされた物質が検査されるべき皮膚表面上に存在するかどうかを決定するために物質中のマーカを検出する。
【００１７】
好ましくは、マーカは、物質の化学成分と相互作用すべきではない。
【００１８】
マーカは、皮膚によって再吸収可能でないことが好ましい。マーカは粒子から成ってもよく、該粒子は、皮膚に浸透できないようなサイズである。
【００１９】
マーカは蛍光物質であってもよく、また、センサ手段は、蛍光測定によってマーカを検出できる。
【００２０】
生物の検査されるべき皮膚表面上の皮膚パラメータの変化を物質の滞留時間の関数として測定するための方法は、
検査されるべき未処理の皮膚表面に関して皮膚パラメータを測定して、測定された皮膚パラメータを記憶するステップと、
検査されるべき皮膚表面上に塗布される物質を供給して、検査されるべき皮膚表面上に物質を塗布するステップと、
供給された物質を識別するステップと、
物質が供給された時間を記憶するステップと、
所定の滞留時間の１回分または複数回分の後に再び皮膚パラメータを測定するステップと、
物質の滞留時間の検出のために皮膚パラメータの少なくとも１つの新たな測定時間を記憶するステップと、
を含んでもよい。
【００２１】
供給される物質の量を測定し、記憶することができる。
【００２２】
以下は、図面に関連する本発明の一実施形態の詳しい説明である。
【図面の簡単な説明】
【００２３】
【図１】本発明に係る生物の皮膚パラメータの変化を測定するためのシステムを概略的に示している。
【発明を実施するための形態】
【００２４】
図１は、生物の皮膚パラメータの変化を測定するためのシステムを示している。システム１は供給手段２と測定機器１８とを備える。供給手段２は、物質１０を保持する容器１２を有する。物質１０はスキンクリームであることが好ましい。容器１２は蓋２６で閉じることができる。蓋２６は開口を有しており、該開口を通じて計量手段１４の一部であるチューブ１７が案内される。チューブ１７の上端には、チューブ１７と一体に形成される計量ヘッド１５が設けられる。計量ヘッド１５の自由端は開口を有する。
【００２５】
計量装置１４の計量ヘッド１５の作動により、物質１０は、容器１２から、チューブ１７、計量ヘッド１５、および計量ヘッドの開口を通じて、皮膚に向けて外側へ圧送される。
【００２６】
供給手段２は、プロセッサユニット４とメモリユニット６とを更に備える。プロセッサユニット４は、時間を測定データと関連付けるためのクロックを備えることが好ましい。
【００２７】
計量手段１４の計量ヘッド１５が作動されると、作動時間がプロセッサユニット４によって検出され、メモリユニット６に記憶される。同様に、外側へ圧送される物質の量が検出され、メモリユニット６に記憶される。作動時間および物質の量は、関連付けられた方式でメモリユニット６に記憶される。例えば、メモリユニット６は、物質の量ｂが時間ａで供給されたことを記憶する。
【００２８】
測定機器１８もプロセッサユニット２８とメモリユニット１６とを備える。プロセッサユニット２８もクロックを備える。更に、測定機器１８は、信号出力８と、キーボード２２と、センサ２０を有するセンサ手段とを含む。センサ手段は、例えば、皮膚の弾力性および／または皮膚の色および／または皮膚の脂肪レベルおよび／または皮膚の皮脂レベルおよび／または皮膚のｐＨ値および／または皮膚の温度および／または皮膚の湿度を検出するためのセンサ２０を備えてもよい。
【００２９】
センサユニットが皮膚パラメータを測定する時間は、プロセッサユニット２８によって検出される。同様に、プロセッサユニット２８は、測定中に測定された関連する測定結果を検出する。その後、データがメモリユニット１６に供給され、該メモリユニットでデータが記憶される。測定時間および関連する測定結果は、互いに関連性をもってメモリユニット１６に記憶される。したがって、例えば、時間ｘに皮膚パラメータｙ、ｚ、ｗが測定されたことがメモリユニット１６に記憶される。この場合、皮膚パラメータｙ、ｚ、ｗは、皮膚の弾力性、皮膚の色、および皮膚のｐＨ値であってもよい。同様に、供給手段２の計量手段１４の作動からどのくらいの時間が経過したのかを決定することができる。クリームの塗布が計量手段１４の作動にほぼ等しいため、計量手段の作動からの経過時間は、物質１０またはクリームの滞留時間に対応する。
【００３０】
測定機器１８が室内気候センサ手段３０を更に備えてもよい。供給手段２のプロセッサユニット４および測定機器１８のプロセッサユニット２８は、無線ローカルネットワークを介して通信してもよい。そのため、メモリユニット６に記憶されるデータをプロセッサユニット２８へ送信することもでき、プロセッサユニット２８からデータをメモリユニット１６に記憶させることもできる。したがって、２つのメモリユニット６、１６のうちの一方だけを使用することもできる。
【００３１】
システム１の使用前、供給手段２に存在する物質は、物質１０と関連付けられる識別コードによって識別される。この識別は、例えば、キーボード２２を介して識別コードを測定機器１８に入力することによって行なわれてもよい。この識別コードは、その後、プロセッサユニット２８によりメモリユニット１６に記憶され、および／またはプロセッサユニット４に送信され、このプロセッサユニット４で、メモリユニット６内に記憶される。プロセッサユニット４および／またはプロセッサユニット２８によりその後に取得される任意のデータは、この識別コードと関連付けられて、メモリユニット６および／またはメモリユニット１６に記憶される。したがって、メモリユニット６および／またはメモリユニット１６に記憶されるデータを物質１０と関連付けることができる。
【００３２】
また、キーボード２２を介して特定の時間間隔を設定することができ、この時間間隔はメモリユニット１６および／またはメモリユニット６に記憶される。計量手段１４の作動後にメモリユニット１６および／またはメモリユニット６内に記憶される時間間隔が経過すると、信号出力ユニット８により信号が出力される。該信号は、プロバンドに皮膚測定を行なうことを思い出させるようになっている。また、複数の時間間隔を入力して、これらをメモリユニット１６および／またはメモリユニット６に記憶させることもできる。この場合、それぞれの時間間隔が経過した後、測定機器１８を使用して測定が行なわれなければならない。また、特定の日時をメモリユニット１６および／またはメモリユニット６に記憶させることができ、それにしたがって、プロバンドに測定を行なうこと、または物質１０もしくはクリームを皮膚表面に塗布することを思い出させる信号が出力される。クリームの塗布は、計量手段１４の作動にほぼ等しい。
【００３３】
メモリユニット６および／またはメモリユニット１６に記憶されるデータは、外部データ受信器へ送信されてもよい。測定機器１８が例えばＵＳＢ配線によってコンピュータに接続されてもよく、その場合、データがインターネットを介して外部データ受信器へ送信されてもよい。
【００３４】
別の方法として、測定機器１８および／または供給手段２は、例えばＳＤカードなどの従来のメモリカードを備えてもよい。データは、プロセッサユニット４および／またはプロセッサユニット２８を介してこのメモリカードに移されてもよい。カードがコンピュータのデータ読み取り装置に挿入されてもよく、その場合、データがインターネットを介して外部データ受信器へ送信されてもよい。
【００３５】
また、物質１０がマーカを備えてもよい。物質１０が皮膚表面に塗布された後、マーカが測定機器１８のセンサユニットのセンサによって検出されてもよい。マーカを皮膚によって再吸収させることはできず、マーカと物質１０の化学成分との間で相互作用は生じない。例えば、マーカは、皮膚へのその浸透を防止するサイズの粒子を含んでもよい。また、マーカは、蛍光測定を用いて測定機器１８のセンサにより検出され得る蛍光物質であってもよい。
【００３６】
生物の検査されるべき皮膚表面上の皮膚パラメータの変化を物質の滞留時間の関数として測定するのに役立つ本発明の方法では、検査されるべき未処理の皮膚表面上で測定機器１８のセンサ２０を使用して皮膚パラメータが測定され、測定された皮膚パラメータがメモリユニット１６および／またはメモリユニット６に記憶される。測定時間も記憶することができる。
【００３７】
更なるステップでは、塗布されるべき物質が識別される。例えば、これは、測定機器１８のキーボード２２を介して識別コードを入力することにより行なわれてもよい。
【００３８】
次のステップでは、検査されるべき皮膚表面に塗布されるための供給手段２の容器１２内に収容される物質が、供給手段２の計量手段１４を使用して供給され、検査されるべき皮膚表面に塗布される。
【００３９】
次のステップでは、物質１０を供給する時間が記憶される。物質１０を供給する時間は、皮膚表面に対する物質１０の塗布にほぼ等しい。また、供給される物質１０の量を検出して記憶することができる。物質１０を供給する時間、および物質１０の量が検出される場合には供給される物質１０の量は、メモリユニット１６および／またはメモリユニット６に記憶され、相互に関連付けられるとともに、識別コードと関連付けられる。
【００４０】
次のステップでは、皮膚パラメータが、１回分または複数回分の滞留時間後に再び測定機器１８のセンサ２０を使用して測定される。滞留時間は、物質１０の塗布からの経過時間である。
【００４１】
次のステップでは、皮膚パラメータの少なくとも１つの新たな測定時間と、測定された皮膚パラメータとが記憶される。測定時間および測定結果は、メモリユニット１６および／またはメモリユニット６に記憶され、相互に関連付けられるとともに、識別コードと関連付けられる。
【００４２】
本発明をその特定の実施形態に関連して説明して例示してきたが、本発明はそれらの例示的実施形態に限定されるものではない。当業者であれば分かるように、以下の特許請求の範囲によって規定される本発明の真の範囲から逸脱することなく変形および変更を成すことができる。したがって、添付の特許請求の範囲およびその等価物の範囲内に入るような全ての変形および変更が本発明に含まれるものである。
【符号の説明】
【００４３】
１…システム、２…供給手段、４…プロセッサユニット、６…メモリユニット、８…信号出力ユニット、１０…物質、１２…容器、１４…計量手段（計量装置）、１５…計量ヘッド、１６…メモリユニット、１７…チューブ、１８…測定機器、２０…センサ、２２…キーボード、２６…蓋、２８…プロセッサユニット、３０…室内気候センサ手段
【図１】
2010201165.tif 000003
【外国語明細書】
2010201165000001.pdf